(57)【要約】【課題】  本発明は炊きたてや保温中の熱いご飯を、直接炊飯ジャーなどからすくって、手を熱から守り、かつ衛生的にスムーズにおにぎりを握ることを目的とした、おにぎり専用手袋を提供する。【解決手段】  本発明は、ご飯の熱が直接手に伝わらない断熱性がある軟質のシリコンゴムや合成樹脂などで手袋を形成し、さらに手のひらの面にしゃもじに見られるようなエンボス加工を施すことによって課題を解決する。【選択図】図１
2008069503.tif 000002
【特許請求の範囲】
【請求項１】
耐熱性がある軟質の合成樹脂などで手袋を形成し、手のひらの面にご飯がくっつかない目的で、それに最適化された形状のエンボス加工を施した、おにぎりを握るための専用手袋。
【発明の詳細な説明】
【技術分野】
【０００１】  本発明は炊きたてや保温中のご飯を直接炊飯ジャーなどからすくって、そのご飯の熱から手を守り、スムーズに衛生的におにぎりが握ることができる、調理用手袋に関するものである。
【背景技術】
【０００２】  従来、魚や肉などをさばいたりする目的の主にゴム製で作られた食品加工用、弁当などおかずの盛りつけなどに使用するポリエチレンなどの薄い合成樹脂で作られた調理用手袋は存在し、広く市販されているが、耐熱性がなくおにぎりを握るために適した形状のものでもない。【０００３】  家庭用の耐熱手袋としてはミトン形状で布地を積層し厚みをもたせたものや、シリコンゴムで形成されたものがあるが、鍋つかみやオーブンの皿を取り出したりする用途のものでおにぎりを握るためには全く適していない。【０００４】  しゃもじに見られるようなエンボス加工がご飯との接触面積を小さくし、そのことによってご飯がしゃもじにくっつくないという効果は知られているが、その目的を手袋に転用したものはない。手袋に施されたエンボス加工は主に物を掴んだ時の滑り止めとしての目的であり、おにぎりを握ることを考慮されたものではなく、またそれに適した形状にもなっていない。
【発明の開示】
【発明が解決しようとする課題】
【０００５】  これはつぎのような問題点があった。
炊きたてや保温中のご飯を直接炊飯ジャーなどからすくって、素手、もしくは従来の薄い調理用手袋を使っておにぎりを握ろうとすれば熱すぎて不可能であり（保温中で７０度前後、炊きたては９０度前後）、炊飯ジャーから別の容器に移し冷まさなければならず、時間と手間がかかっていた。【０００６】  食品加工用の従来のゴム製手袋の薄手の製品はご飯の熱を緩和出来ず、厚手のものは、熱はある程度緩和されるが、ごわごわして握りにくい。さらに、それらはおにぎりを握ることを想定されてないので、ご飯がくっついて使い勝手がよくないうえに、ゴム独特の匂いを持つものが多く、おにぎりを握るという作業には敬遠される。【０００７】  そして、それらのゴム製手袋のほとんどは、すぐに脱げ落ちないようにぴっちりした形状のもので、脱着に手間取り、かえってそれがおにぎりをにぎるという気楽な行為に対してゴム製手袋を使う気持ちをおこさせなかった。
【課題を解決するための手段】
【０００８】  本発明は、ご飯の熱が直接手に伝わらない断熱性がある軟質のシリコンゴムや合成樹脂などで手袋を形成する。さらに手のひらの面にしゃもじに見られるようなエンボス加工を施すことによって、ご飯が手袋にくっつくのを防止しスムーズに握られるようにする。【０００９】  脱着を容易なものにするため、親指だけが割れたミトン形状にする。これは、おにぎりを握るという行為に特化した手袋なので、指すべてをバラバラに動かす必要がなく、そのような形状が可能である。さらに手を入れる開口部もやや緩めにすることによって、さらに脱着を容易にする。
【発明の効果】
【００１０】  断熱性のある素材を用いてあるので、炊きたてや保温中の熱いご飯でも、炊飯ジャーなどから直接しゃもじですくっておにぎりを握ることが可能になり、別の容器に移して冷ますという手間と時間を節約することが出来る。【００１１】  手のひら側にエンボス加工が施してあるので、ご飯がくっつきにくく、スムーズにおにぎりを握ることが出来る。【００１２】  親指部分だけが割れたミトン形状なのと、手を入れる開口部分がやや緩めなので脱着が容易である。さらに、その形状はあとの手入れも簡単になり時間が節約出来、衛生面でもメリットがある。【００１３】  手にけがをしている時や手荒れなどで衛生面に問題がある時でも、この手袋を使用することによって、問題なくおにぎりを握ることが出来る。
【発明を実施するための最良の形態】
【００１４】  以下、本発明の実施例について説明する。
まず高度の断熱性があり無味無臭で哺乳瓶の口の部分にも使用されているシリコンゴムを使い、ＣＡＳ（キャスティング、浸漬）方式で上記手袋を成形する方法が考えられる。手のひらの面に１ミリないし１．５ミリ程度の深さのエンボス加工を施し、親指だけが割れたミトン形状の手袋型のガラス型を成形用とし、それをシリコンゴムラテックスに浸し、ガラス型に付着した皮膜を乾燥させ、剥がす。エンボス加工については凸面より凹面を採用したほうがその部分に水分が残り、ごはんのくっつきを防止する効果が高められ、おにぎりがよりスムーズに握れると考えられる。手のひら側は当然、手の甲側よりはその使用目的とエンボス加工を施さなければならないため、ある程度肉厚にする。しかし、シリコンゴムの高度の耐熱性から考えると、おにぎりをにぎるのに支障をきたすというところまでは厚みをもたす必要がない。そして図２と図３で示してあるとおり、指の付け根の間接部分にはエンボス加工を施さず隙間を空け、握る時の負荷を最小限にとどめる。【００１５】  ただ、シリコンゴムは高価なので安価に製造出来る方法を以下に示す。
図４の断面図に示すように手袋を２層構造もしくはそれ以上の多層構造にし、外側に軟質のポリエチレン等を使い、内側には断熱性を有する軟質のポリウレタン発砲体などを使って上記手袋を形成する。まず、ポリエチレン等の素材で手袋型の手のひら側と手の甲側の二枚を用意する。手のひら側は圧縮成形によって凹型のエンボス加工を施したものを用意する。もしくはプラスティックシートを何枚か貼り合わせその過程で凹型エンボス加工を成形する。次に内側の素材となる断熱性を有する薄い軟質のポリウレタン発砲体などを同じように手のひら側と手の甲側の二枚を用意する。そして、それらをそれぞれ重ね合わせ外周部分を耐熱接着剤を使うか、熱溶着で貼り合わせる。必要によっては内側と外側を反対にした状態で貼り合わせ乾燥後反転させる。【００１６】  手袋全体の形状としては  図２のように親指だけが割れ、人差し指から小指までは一体のミトン形状のものか、もしくは箸を使いやすくするために図３のように人差し指も別にしたものでもよい。【００１７】  手のひら側のエンボス加工については、ご飯との接触面積を小さくしてご飯が手袋にくっつかないという目的だが、凹型のほうが水分をそこにとどめておくことが出来るのでさらにくっつかなくなり、スムーズに握れる効果が高められると考えられるので凹型を採用した方がよいと考えられるが、もちろん凸型でもよい。
【図面の簡単な説明】
【００１８】
【図１】  本発明の斜視図
【図２】  本発明の手のひら側から見たミトン形状の正面図
【図３】  本発明の手のひら側から見た人差し指を分離した形状の正面図
【図４】  本発明の２層構造にした場合の手のひら側を上にした図２におけるＡ−Ａ線の拡大断面図
【符号の説明】
【００１９】    １  エンボス加工
２  軟質のポリエチレン等または貼り合わせたプラスティックシート
３  断熱性を有する素材
４  エンボス加工、凹型の断面図
【図１】
2008069503.tif 000003
【図２】
2008069503.tif 000004
【図３】
2008069503.tif 000005
【図４】
2008069503.tif 000006